(57)【特許請求の範囲】
【請求項１】
排水が流入する上部開口（４）を有し、この上部開口が空中に開放されるように、コンクリートからなる床版（３）に埋設される排水桝（１）において、
前記上部開口を形成するとともに、前記床版のコンクリートと界面（Ｘ）を構成する上部筒体（７）と、
この上部筒体の下側に接続され、前記上部筒体に流入した排水を受け入れる本体（８）とを備え、
前記上部筒体はコンクリートからなり、前記本体は、樹脂または金属からなることを特徴とする排水桝。
【請求項２】
請求項１に記載の排水桝において、
前記上部筒体は、前記床版のコンクリートを打設するときに型枠として利用される埋設型枠であることを特徴とする排水桝。
【発明の詳細な説明】
【技術分野】
【０００１】
本開示は、コンクリートからなる床版に埋設される排水桝に関するものである。
【背景技術】
【０００２】
従来から、例えば、高速道路では、路面をなすアスファルトからなる舗装の下側に基礎部分として、コンクリートからなる床版が設けられている。そして、この床版に、路面上から水を排水する排水桝が埋設されている。
ところで、排水桝の材料（金属または樹脂）と、床版の材料（コンクリート）との線膨張係数差に起因して剥離が発生し、排水桝の外周に隙間が形成されることが知られている（以下、排水桝と床版のコンクリートとの剥離により生じた隙間を剥離隙間と呼ぶことがある。）。
【０００３】
そして、このようにして形成された剥離隙間を水が流れてしまい、外観を損ねたり、錆を発生させたりする可能性がある。
そこで、このような問題を解消するため、排水桝の外周に樋を設けるとともに、内外を貫通する穴を設ける構造が開示されている（例えば、特許文献１参照。）。この構造によれば、剥離隙間を流れる水は、樋に集められて穴から排水桝の内周に流入する。このため、特許文献１によれば、剥離隙間を流れた水を排水桝の内周に導くことができ、上記の問題を解決することができる、としている。
【０００４】
しかし、特許文献１の排水桝によれば、穴を設けるには、本体を成形後、直接、本体に穴を開けたり、金型に入れ子を用いたりする必要がある。また、穴の形状、位置および大きさ等を変更するには、製造工程において様々な変更が必要になるので、穴の形状、位置および大きさ等の変更に関して自由度が小さい。
【先行技術文献】
【特許文献】
【０００５】
【特許文献１】特開２０１５−１０５４８６号公報
【発明の開示】
【発明が解決しようとする課題】
【０００６】
本開示は、上記の問題点を解決するためになされたものであり、その目的は、排水桝の外周に形成された剥離隙間を水が流れることで生じる問題を解消することにある。
【課題を解決するための手段】
【０００７】
本開示の排水桝は、排水が流入する上部開口を有し、上部開口が空中に開放されるように、コンクリートからなる床版に埋設される。また、排水桝は、次の上部筒体および本体を備える。すなわち、上部筒体は、上部開口を形成するとともに、床版のコンクリートと界面を構成する。また、本体は、上部筒体の下側に接続され、上部筒体に流入した排水を受け入れる。そして、上部筒体はコンクリートからなり、本体は、樹脂または金属からなる。
これにより、本開示の排水桝によれば、潜在的に、上記剥離隙間を水が流れることで生じる問題を解消することができる。
【図面の簡単な説明】
【０００８】
【図１】床版に排水桝が埋設された状態を示す断面図である（実施例）。
【図２】図１のＩＩ−ＩＩ断面図である（実施例）。
【図３】排水桝の平面図である（実施例）。
【図４】図３のＩＶ−ＩＶ断面図である（実施例）。
【図５】図３のＶ−Ｖ断面図である（実施例）。
【図６】上部筒体の平面図である（実施例）。
【図７】図６のＶＩＩ−ＶＩＩ断面図である（実施例）。
【図８】図６のＶＩＩＩ−ＶＩＩＩ断面図である（実施例）。
【図９】グレーチング受けの平面図である（実施例）。
【図１０】図９のＸ−Ｘ断面図である（実施例）。
【図１１】図９のＸＩ−ＸＩ断面図である（実施例）。
【図１２】図２のＸＩＩ部の拡大図である（実施例）。
【発明を実施するための形態】
【０００９】
以下、本願発明を実施するための形態を実施例に基づいて説明する。
【実施例】
【００１０】
〔実施例の構成〕
実施例の排水桝１の構成を、図面を用いて説明する。
排水桝１は、高速道路や橋梁などの路面から排水するため、例えば、アスファルトからなる舗装２の下側の床版３に埋設されている。ここで、排水桝１は、水が流入する上部開口４、および、流入した水が流出する下部開口５を有し、例えば、床版３を構成するコンクリートを打設するときに、上部開口４が空中に開放されるように埋設される。また、排水桝１は、壁高欄６に沿って配置される。
以下、排水桝１の構成について詳述する。
【００１１】
排水桝１は、主に、上部筒体７および本体８からなる。
まず、上部筒体７は、上部開口４を形成する矩形の扁平な筒体であり、上部開口４も、矩形である。そして、上部筒体７の外側面は、床版３のコンクリートと界面Ｘを構成する。さらに、上部開口４の短手方向が道路の進行方向に平行であり、長手方向が道路の幅方向に平行である。
【００１２】
また、上部筒体７は、セメントや珪石粉末等のコンクリート材料にポリプロピレン繊維等の繊維粉末を分散させて押出し成形した成形品である。なお、上部筒体７の外側面には、図６に示すように、上下方向に平行なリブ７ａが等間隔で設けられている。また、上部筒体７の上側には、グレーチング１２を受けるためのグレーチング受け１３が固定されている。ここで、グレーチング受け１３は、ＳＳ４００等の鉄鋼材料を素材としており、上部開口４に嵌まるように矩形に設けられている。
【００１３】
また、グレーチング受け１３は、図９等に示すように、グレーチング１２が載る載置部１６、および、水を通す開口１７を有する。なお、載置部１６は、短手方向の両側に、それぞれ長手方向に伸びるように設けられている。また、グレーチング１２とグレーチング受け１３とは、例えば、それぞれに設けた貫通穴にボルトの軸部を通してボルトの頭部とナットとで挟むことで固定される（図９には、グレーチング受け１３に設けた貫通穴１３ａが図示されている。）。
【００１４】
なお、グレーチング受け１３は、本体８に装着されたボルト１８の頭部１８ａとナット１９とで載置部１６を挟むことで、本体８の上方に位置決めされて固定されている（図１２参照。）。また、グレーチング１２は、鋼材を格子状に組み立てた周知の形状である。また、グレーチング受け１３と上部筒体７との間には、合成繊維からなる網状管２０が装着され、水の滞留が抑制されている。また、上部筒体７の上縁７ｄは、内周側に向かって下方に傾斜する傾斜面をなす。さらに、上部筒体７を構成する４つの辺部の内、壁高欄６側の辺部７ＳＨは他の３つの辺部７ＳＬよりも高く、他の３つの辺部７ＳＬは同じ高さである。
【００１５】
次に、本体８は、下部開口５を有し、上部筒体７とは別体に設けられて床版３に埋設され、床版３のコンクリートと界面Ｘを構成する。また、本体８は、ＦＲＰを材料とする樹脂成形品である。
また、本体８は、次のような上部８ａ、中部８ｂおよび下部８ｃを有する。
【００１６】
まず、上部８ａは、上部筒体７の下側端部７ｃと接続する部分であり、矩形筒状に設けられている。ここで、上部８ａと下側端部７ｃとは、例えば、次のように、上部８ａを下側端部７ｃに溶着することで接続される。すなわち、上部８ａの矩形の上縁に、下側端部７ｃが嵌る溝を設け、溝に下側端部７ｃを嵌めた状態で溝の側壁を溶融することで、上部８ａを構成する樹脂を下側端部７ｃに溶着する。これにより、上部８ａは下側端部７ｃに接続される。
【００１７】
次に、中部８ｂは、内周に、長手方向の一方側に向かって傾斜する傾斜面２１を有し、傾斜面２１の一方側に下部８ｃの内周が開口している。また、中部８ｂは、上側から視たときに矩形状に視える。さらに、中部８ｂの内周には、短手方向の両端に、長手方向と平行な面を有する台部２２が設けられ、台部２２には、ボルト１８が螺合するネジ穴１８ｂが設けられている。
【００１８】
そして、ネジ穴１８ｂに螺合したボルト１８によってグレーチング受け１３が固定されている。なお、ボルト１８のネジ穴１８ｂへの螺合を調整することでグレーチング１２の上下方向の位置を調節することができる。
また、傾斜面２１、および、下部８ｃの内周は、２つの台部２２の間に設けられている。また、中部８ｂとグレーチング受け１３との間には飛散防止用のチェーン２３が架け渡されている。さらに、中部８ｂの外面には、排水桝１を床版３の鉄筋に固定するためのアンカーバー２４が外側に向かって突出している。
【００１９】
さらに、下部８ｃは、円筒形状であり、下部８ｃの内周の上側は、上記のように２つの台部２２の間に開口している。また、下部８ｃの内周の下端は下部開口５を形成する。そして、下部８ｃの周囲には型枠管２５が配置されている。
【００２０】
〔実施例の効果〕
実施例の排水桝１によれば、上部開口４を有する上部筒体７の外周面により、床版３のコンクリートとの間に界面Ｘが形成される。そして、上部筒体７は、コンクリートからなる。
これにより、界面Ｘを形成する排水桝１側の材料、および、床版３側の材料が同じになるので、界面Ｘにおいて、線膨張係数差に起因する剥離隙間が発生しなくなる。このため、剥離隙間を水が流れることで生じる問題を解消することができる。
【００２１】
また、上部筒体７は、床版３のコンクリートを打設するときに型枠として利用される埋設型枠である。
これにより、床版３のコンクリートを打設するときに必要となる型枠の数を減らすことができるので、型枠設置および除去の作業負荷を低減することができる。
【００２２】
〔変形例〕
本願発明は、その要旨を逸脱しない範囲で様々な変形例を考えることができる。
例えば、実施例の排水桝１によれば、本体８は樹脂製であったが、本体８を金属製にしてもよい。
また、実施例の排水桝１によれば、グレーチング受け１３と上部筒体７とが別体として設けられていたが、グレーチング受け１３と上部筒体７とを一体物として設けてもよい。
【符号の説明】
【００２３】
１ 排水桝  ３  床版  ４  上部開口    ７  上部筒体  ８  本体  Ｘ  界面  
【図１】
0006856849.tif 000002
【図２】
0006856849.tif 000003
【図３】
0006856849.tif 000004
【図４】
0006856849.tif 000005
【図５】
0006856849.tif 000006
【図６】
0006856849.tif 000007
【図７】
0006856849.tif 000008
【図８】
0006856849.tif 000009
【図９】
0006856849.tif 000010
【図１０】
0006856849.tif 000011
【図１１】
0006856849.tif 000012
【図１２】
0006856849.tif 000013